(57)【要約】  本発明は、統合可能なゲームコンソールの移送および移動作業のためのゲームケース（１）であって、ゲームケース（１）が、上筐体（２）と下筐体（３）とを含み、上筐体（２）が、下筐体（３）に取り外し可能に、または、上筐体（２）が長手側面に沿って折り畳まれ得るように接続されているゲームケース（１）に関する。上筐体（２）が、統合可能なゲームコンソールの信号を出力するためのスクリーン（４）を備え、スクリーン（４）が上筐体（２）の表面の少なくとも半分を占有している。下筐体（３）が少なくとも１つの成形された要素（５）を備え、成形された要素（５）がゲームコンソールをかみ合うように収容するための少なくとも１つの窪み（６）を含む。ゲームケース（１）が少なくとも１つの給電線（７ａ）または信号線（７ｂ）を含む既製の配線（７）を含み、少なくとも１つの電源線（７ａ）または信号線（７ｂ）が、電源への接続のために、または、ゲームコンソールの信号を出力するためのスクリーン（４）への接続のために、ゲームコンソールに接続するために、窪み（６）内に挿入されている。本発明は、更に、統合されたモニターまたは任意の他の統合された画像ディスプレイデバイスを備えるマルチメディアケースに関する。
2021527284.tif 000002
【特許請求の範囲】
【請求項１】
統合可能なゲームコンソールの移送および移動作業のためのゲームケースであって、前記ゲームケース（１）が実質的に直方体の形状をもち、前記直方体の最大の側面が前記ゲームケースの上部と底部とを形成しており、前記ゲームケース（１）が上筐体（２）と下筐体（３）とを含み、前記上筐体（２）が前記下筐体（３）に、取り外し可能に、または、前記上筐体（２）が長手側面に沿って折り畳まれ得るように、および、前記下筐体（３）に対して９０度から１５０度の間の角度でロックされ得るように、接続されており、前記上筐体（２）が統合可能な前記ゲームコンソールの信号を出力するためのスクリーン（４）を備え、前記スクリーン（４）が前記上筐体（２）の表面の少なくとも半分を占有しており、
前記下筐体（３）が、少なくとも１つの成形された要素（５）を備え、
前記ゲームケース（１）が、少なくとも１つの給電線（７ａ）または１つの信号線（７ｂ）を含む既製の配線（７）を含み、
少なくとも１つの給電線（７ａ）または信号線（７ｂ）が、電源への接続のために、または、前記ゲームコンソールの信号を出力するための前記スクリーン（４）への接続のために、前記ゲームコンソールに接続するために、窪み（６）内に挿入されており、
前記成形された要素（５）が、前記ゲームコンソールをかみ合うように収容するための少なくとも１つの窪み（６）を含むことを特徴とする、ゲームケース。
【請求項２】
前記ゲームケース（１）が、前記ゲームコンソールの操作ユニットを収容するための少なくとも１つの窪み（８）、および／または、ケーブルを収容するための窪み（９）、および／または、ゲームのデータ記憶媒体を収容するための窪み、および／または、無線通信デバイスのための充電ステーションを収容するための窪み（１０）、（１１）、および／または、エネルギー貯蔵器を収容するための窪み、および／または、変流器を収容するための窪みの形態をとる、前記ゲームケースの１つまたは複数のコンポーネントを収容するための少なくとも１つの窪み（８）、（９）、（１０）、（１１）を含む少なくとも１つの成形された要素（５）を含むことを特徴とする、請求項１に記載のゲームケース。
【請求項３】
１つまたは複数の成形された要素（５）が組み合わされて前記下筐体（３）の表面を完全に占有していることを特徴とする、請求項１または２に記載のゲームケース。
【請求項４】
１つまたは複数の成形された要素（５）が、配線（７）を少なくとも部分的に収容するための少なくとも１つの案内経路部（１３）を含むことを特徴とする、請求項１から３のいずれか１項に記載のゲームケース。
【請求項５】
前記ゲームケース（１）の前記下筐体（３）の電気的コンポーネントの配線が、完全に覆われた手法により１つまたは複数の案内経路部内に配置されていることを特徴とする、請求項１から４のいずれか１項に記載のゲームケース。
【請求項６】
前記上筐体（２）または前記下筐体（３）が、配電ケーブルを接続するためのプラグ接続部（１２）を含むことを特徴とする、請求項１から５のいずれか１項に記載のゲームケース。
【請求項７】
前記配線が、前記スクリーン（４）に、および、前記ゲームコンソールのための既製の給電線にデバイスプラグを接続することを特徴とする、請求項６に記載のゲームケース。
【請求項８】
ａ）前記ゲームケース（１）がモジュール式構造物を含み、前記配線（７）の一部と少なくとも前記成形された要素（５）とが、前記ゲームコンソールを収容するための前記ゲームコンソールの接続および設計への適応のために交換可能に構成されており、
ならびに／または、
ｂ）前記成形された要素（５）がかみ合わせのためのサイズを上回る窪み、または、前記ゲームコンソールが挿入されたときに供給空気の上向きの供給および／または排気の上向きの放出を可能にする、前記ゲームコンソールを収容するための前記窪み（６）の１つまたは複数の側面における更なる開口を含む、
ことを特徴とする、請求項１から７のいずれか１項に記載のゲームケース。
【請求項９】
前記成形された要素（５）が、同じまたは近接した前記成形された要素の別の窪み（８）、（９）、（１０）、（１１）内への、または前記別の窪み（８）、（９）、（１０）、（１１）からの供給空気の供給および／または排気の放出を可能にする、前記ゲームコンソールを収容するための前記窪み（６）の１つまたは複数の側面における少なくとも１つのトンネル（１４）を含むことを特徴とする、請求項１から８のいずれか１項に記載のゲームケース。
【請求項１０】
少なくとも１つのトンネル（１４）が、窪み（８）、（９）内に開いており、少なくとも１つのトンネル（１４）の適合度が、ゲームの動作のために取り外された前記ゲームケース（１）のコンポーネントを収容するように構成されていることを特徴とする、請求項９に記載のゲームケース。
【請求項１１】
前記ゲームケース（１）が、少なくとも１つの成形された要素（５）に対する対向要素（１５）を含み、前記対向要素（１５）の底部を通して、コンポーネントが窪み（６）、（８）、（９）、（１０）、（１１）内に上向きに固定され得、および、前記対向要素（１５）が、前記ゲームケース（１）が閉じている、および横になっているとき、縦方向の長さにわたって完全に、および、横方向の長さにわたって少なくとも部分的に前記コンポーネントと前記スクリーン（４）との間のギャップを占有していることを特徴とする、請求項１から１０のいずれか１項に記載のゲームケース。
【請求項１２】
前記スクリーン（４）が、フラットスクリーンとして構成されており、挿入されたコンポーネントが前記成形された要素（５）と上部において面一であるように、および、前記対向要素（１５）が平らな覆いの形状をもつように、少なくとも１つの窪み（６）、（８）、（９）、（１０）、（１１）が構成されていることを特徴とする、請求項１１に記載のゲームケース。
【請求項１３】
互いに折り畳み可能に、および／または取り外し可能に接続された上筐体（２）と下筐体（３）とを含むゲームケースまたはマルチメディアケースであって、前記上筐体（２）または前記下筐体（３）が、マルチメディアデバイスの信号またはゲームコンソールの信号を出力するためのディスプレイデバイス（４１）を含み、前記上筐体（３）または前記下筐体（３）が、少なくとも１つの成形された要素（５）を含み、前記成形された要素（５）が、少なくとも１つの流体チャンバを含み、流体により充填された状態において、前記成形された要素（５）に挿入されたマルチメディアデバイス、または、前記成形された要素に挿入されたゲームコンソールの固定効果を改善または達成するために、前記成形された要素（５）が前記流体により充填され得る手法により、構成されていることを特徴とする、ゲームケースまたはマルチメディアケース。
【請求項１４】
投影器（２４）のレンズ（２３）のための光出口を含む少なくとも１つの開口（２２）が、形成されていること、および／または、高さ調節可能な足（２７）が前記上筐体（２）に、および／または前記下筐体（３）に提供されていることを特徴とする、請求項１から１３のいずれか１項に記載の、または請求項１３のプリアンブルに記載のゲームケースまたはマルチメディアケース。
【請求項１５】
キーボードまたはマウスを保管するために、および操作するために、および／または、キーボードを装着するために形成されている旋回可能な表面要素（４２）が、少なくとも１つの側面（１８、１９、２０、２１）の領域に提供されていることを特徴とする、請求項１から１４のいずれか１項に記載の、または請求項１３のプリアンブルに記載のゲームケースまたはマルチメディアケース。
【発明の詳細な説明】
【技術分野】
【０００１】
本発明は、ゲームコンソールの移送および移動作業のためのゲームケースの形態をとる電子エンターテインメントゲームの分野に関する。本発明は、更に、統合されたモニターを含む、または別の統合された画像ディスプレイデバイスを含むマルチメディアケースに関する。
【背景技術】
【０００２】
電子エンターテインメントゲームは、しばらくの間、大きく継続的に高まり続ける人気を集めている。これは、特に、ゲームボーイまたはスマートフォンといった、この目的のために特別に提供されるデバイスにおいて携帯しながら遊ばれるゲームと、比較的大きいスクリーンを使用した、および、ゲームコンソールまたは標準的なＰＣにおけるゲーム環境の現実的表現のための高い演算能力を使用した固定された状態で操作されるゲームとの両方に当てはまる。この場合において、ゲームは、１人または複数人のプレーヤーのために構成され得る。数人のプレーヤーの参加のために、ゲームコンソールは、例えば、コントローラーの形態をとる幾つかの操作ユニットを提供し、および／または、インターネット接続を介して数人のプレーヤーのゲームコンソールを互いに接続する可能性を提供し得る。
【０００３】
詳細なグラフィカル表現により大きく現実的な見た目のゲームシーンを提供する固定した状態で操作されるゲームはプレーヤーがゲーム世界により良く没頭することを可能にし、ひいては、小さいポータブルデバイスを使用する場合に通常もたらされるものより夢中になるゲーム体験を可能にすることを経験が示している。
【０００４】
比較的単純なポータブルゲームとは対照的に、比較的要求の厳しいゲームの使用はゲームコンソール、コントローラー、モニター、対応する設置領域、約１００〜２００ワット程度の電源またはエネルギー供給、および、任意選択的に、インターネットアクセスの形態をとる特定のインフラストラクチャーの存在に依存するという問題が、比較的要求の厳しいゲームの動作に対して発生する。
【０００５】
それにもかかわらず、多くのプレーヤーは、移動しているとき、例えば空港において、列車の中で、または、プライベートの、および／または職業上の休暇時に、または仕事場で待機している間に、固定された状態での使用のために提供されるゲームコンソールを使用することも望んでいる。
【０００６】
この問題を部分的に解決するために、ポータブルゲーミングおよびエンターテインメントシステムが、ある位置から別の位置への、ゲーム環境に必要なコンポーネントの安全な移送のためのケースを提供する米国特許出願公開第２０１７／０３３３７８７（Ａ１）号といった従来技術から知られている。
【０００７】
コンピュータのための移送ケースが米国特許出願公開第２００３／０２１７９４０（Ａ１）号から知られている。ケースの一実施形態において、移送ケースが閉じているときにコンピュータを完全に囲む下部と上部とを含む２部品挿入筐体が、コンピュータを収容するために説明されている。ゲームコンソールとの関連におけるこの移送ケースの使用および設計については言及されていない。
【０００８】
ビデオゲームおよびアクセサリを保管するためのボックスが、独国実用新案第２０２００８００２１６２（Ｕ１）号から知られている。このボックスは、ボックスがゲームコンソールの移送と使用との両方に適しているような手法による、ゲームコンソールおよびモニターならびに既製のケーブルを配置することを意図したものではなく、ゲームコンソールおよびモニターならびに既製のケーブルを配置することに適したものでもない。
【０００９】
米国特許出願公開第２０１６／０３０６３８９（Ａ１）号は、電子デバイスのための、特に、タブレットコンピュータのための保護ハウジングを開示している。保護ハウジングは、保護される電子デバイスより無意味に大きく、特に、電気エネルギー貯蔵器の配置のための窪みを含む。保護ハウジングは、ボックスがゲームコンソールの移送と使用との両方に適しているような手法により、ゲームコンソールおよびモニターならびに既製のケーブルを配置することを意図したものではなく、ゲームコンソールおよびモニターならびに既製のケーブルを配置することに適したものでもない。
【００１０】
米国特許出願公開第２００５／０１８５９１６（Ａ１）号は、上筐体に配置されたスクリーンと、下筐体に配置されたＤＶＤプレーヤーまたはゲームコンソールとを含むゲームケースを開示している。ＤＶＤプレーヤーまたはゲームコンソールを挿入するために、および取り出すためにジッパーにより開けられ得る、および再度閉じられ得る縫われた区画が収容のために提供される。
【００１１】
米国特許出願公開第２０１６／０２２８７６８（Ａ１）号から、および米国特許出願公開第２０１１／００９２２９４（Ａ１）号から、請求項１のプリアンブルに記載のゲームケースが知られている。これらのゲームケースでは、ゲームコンソールは窪みをもつ成形された要素によりかみ合うように収容されるのではなく、ゲームコンソールの少なくとも１つの側面だけがこれらのストラップにより覆われてストラップ間から開放状態でアクセス可能であるような手法により、「ストラップ」を使用して固定される。結果として、ゲームコンソールが移送されるときに、ゲームコンソールがゲームケース内において固定されていない要素により損傷を受け得るとともに、ゲームケース内において動き得る。
【００１２】
本発明の目的は、従来技術より改善された、前述の問題に対する解決策を提供すること、特に、ゲームコンソールまたはマルチメディアデバイスが簡単かつ安全に移送されることを可能にする、および、移送後に簡単かつ短時間での使用を可能にするゲームケースおよびマルチメディアケースを提供することである。
【発明の概要】
【００１３】
独立請求項の特徴により本発明により目的が達成される。本発明の有益な構成が従属請求項により規定される。
【００１４】
本発明によると、統合可能なゲームコンソールの移送および移動作業のためのゲームケースであって、ゲームケースが、実質的に直方体の形状をもち、直方体の最大の側面が、ゲームケースの上部と底部とを形成しており、ゲームケースが、上筐体と下筐体とを含み、上筐体が、下筐体に取り外し可能に、または、上筐体が長手側面に沿って折り畳まれ得るように、および、下筐体に対して９０度から１５０度の間の角度でロックされ得るように、接続されており、上筐体が、統合可能なゲームコンソールの信号を出力するためのスクリーンを備え、スクリーンが、上筐体の表面の少なくとも半分を占有し、
下筐体が、少なくとも１つの成形された要素を備え、成形された要素が、ゲームコンソールをかみ合うように収容するための少なくとも１つの窪みを含み、
ゲームケースが、少なくとも１つの給電線または１つの信号線を含む既製の配線を含み、少なくとも１つの給電線または信号線が、電源への接続のために、または、ゲームコンソールの信号を出力するためのスクリーンへの接続のために、ゲームコンソールに接続するために窪み内に挿入さている、
ゲームケースが提供される。
【００１５】
言い換えると、上筐体の表面を５０％より多くまで、理想的には８５％から９５％の間の範囲内で占有するスクリーン、特に、フラットスクリーンをゲームケースの上筐体が含むゲームケースが提供される。このスクリーンは、ゲームケースの上筐体に留まるように、およびゲームケースの上筐体において動作するように、上筐体に常設されている。開いたケースは、したがって、ゲームケース内においてゲームコンソールを動作させるためのスクリーンホルダーの役割を担い得、下筐体に対して上筐体をロックするための角度は、有益には９０度から１５０度の間の範囲内である。スクリーンは後部換気部を含む。後部換気部は、例えば、スクリーンが上筐体の表面を完全には占有しないことにより提供され得る。しかし、換気口は更に上筐体に配置され得るが、換気口は、本例によらなければ水密性のために閉じるように構成され得るゲームケースの外面に開口を形成する。
【００１６】
有益にはスクリーン表面が上筐体内に配置される手法により、または、ゲームケースをできる限り小さくすることができるように、上筐体の縁部とおおむね面一である手法により、上筐体の高さとスクリーンの設置深さとが互いに整合をとられる。
【００１７】
更に、下筐体は成形された要素を含み、成形された要素内において、ゲームコンソールがかみ合うように挿入され得る。この場合において、成形された要素は、弾性および／または弾力性材料、例えば発泡体から有益に構成され得る。この文脈において、かみ合うようにというのは、ゲームコンソールが上方から窪みに挿入され得る手法により、および、成形された要素、特に発泡体が、ゲームコンソールがこれらの側面から固定されるとともに衝撃を和らげられるような手法により、下方から、および側方からゲームコンソールを囲むことと手法により、ゲームコンソールのハウジング形状に対して窪みが構成されていることを意味する。かみ合うことは、例えば、リブを形成することにより弾性および／または弾力性材料のばね定数に影響を与えるために、または、換気スロットを提供するために、このような被覆材料が成形された要素により遮られることを除外するわけではない。
【００１８】
ゲームケースはケースの内側の、および成形された要素の内側のゲームコンソールを配線接続することを可能にする既製の配線を含む。この場合において、配線は、少なくとも１つの給電線または信号線を含むが、有益には、ゲームコンソールを動作させるために必要とされる電源または接続線のすべてを含む。動作のためにゲームコンソールに接続されるすべての線であることが有益だが、少なくとも１つの給電線または信号線が、ゲームケース内に設置されており、電源および／またはスクリーンにゲームコンソールを接続するためにゲームコンソールに接続される準備が整っている。この目的において、給電線または信号線は窪み内に挿入されており、したがって、非常に短い設置時間の後に動作を可能にするために、通常既に存在するゲームコンソールが所与のケーブルに接続されなければならないだけである。この場合において、接続ラインの事前設置は、利便性の高い誤りの無い始動手順を可能にする。固定した環境からの既存の接続線が取り外されること、および携行されることは必要とされない。更に、道中で線が行方不明になるおそれも、繰り返される折り畳み、巻取り、およびよじれにより線が傷付けられるおそれも無い。正しい既製の長さは、ゲームケースが閉じられるときに絡んだケーブルおよび線が挟まれることを防ぐ。
【００１９】
更に、ゲームケースは、動作状態においてゲームコンソールが移送されることを可能にする。挿入された後、ゲームケースの内部のゲームコンソールは数秒以内に動作状態にされ得る。したがって、ゲームコンソールを開始することが非常に手軽であり、したがって、例えば短い待ち時間を埋めるために短時間しか利用可能でない場合にも、動作に価値がある。
【００２０】
有益には、ゲームケースは、エネルギー貯蔵器、例えばパワーバンクを含み得る。ゲームコンソールの電力消費および使用されるパワーバンクに応じて、現在、約１時間のプレー時間が可能である。ゲームコンソールが１１０Ｖまたは２２０Ｖの電源電圧による動作しか許容しない場合、ゲームケースは、直流電圧を１１０Ｖまたは２２０Ｖの配電線電圧に変換するための電圧コンバーターを含み得る。更に有益には、ゲームケースは、パワーバンクおよび／または無線通信デバイスのための充電ステーション、特に、無線通信デバイス、特にスマートフォンのための給電を可能にするＵＳＢ規格によるプラグ接点または誘導充電器を含むボックスを含む。無線通信デバイスは、例えば、ゲームコンソールに接続可能であり得、ゲームコンソールとインターネットとの間の接続を確立するために中継ステーションの機能をもち得る。この手法により、ゲームケースは、通常の手法による、また更にモバイル式の手法によるゲームコンソールの使用をプレーヤーに提供するために使用され得る。
【００２１】
有益な構成では、ゲームケースは、少なくとも１つの成形された要素を備え、成形された要素は、ゲームコンソールの操作ユニット、特にコントローラーを収容するための少なくとも１つの窪み、および／または、ケーブル、特に配電ケーブルを収容するための窪み、および／または、特にブルーレイまたはＤＶＤフォーマットによるゲームのデータ記憶媒体を収容するための窪み、および／または、無線通信デバイスのための充電ステーション、特にＵＳＢ規格によるプラグ接点をもつボックスまたは誘導充電器を収容するための窪み、および／または、エネルギー貯蔵器、特にパワーバンクを収容するための窪み、および／または、特に直流電圧を２２０Ｖの配電線電圧に変換するための変流器を収容するための窪みの形態をとる、ゲームケースの１つまたは複数のコンポーネントを収容するための少なくとも１つの窪みを含む。
【００２２】
１つまたは複数のこのような窪みは、ゲームコンポーネントおよび／またはゲームアクセサリの移送および／または保管のための区画を形成する利点を提供する。したがって、ゲームケースは、すべての必要な、および任意選択的なコンポーネントまたはアクセサリを一緒に移送する、および／または収容することができる可能性を提供する。対応する窪みは、完全であることの概観および確認を改善する。有益には、窪みは、ゲームケース内におけるゲームコンポーネントおよび／またはゲームアクセサリの移動を防ぐために、かみ合う手法によりゲームコンポーネントおよび／またはゲームアクセサリを収容し得る。
【００２３】
幾つかの窪みがある場合、窪みのすべてが１つの成形された要素により、または、幾つかの成形された要素にわたって分散して構成され得る。有益には、パズルの形態で組み合わされたすべての成形された要素、または、単独の１つの成形された要素が下筐体の表面を完全に占有する。この場合において、わずかに大きいサイズにより、１つまたは複数の好ましくは弾性の成形された要素の側面が側壁に、および任意選択的に互いに押し付けられており、この手法により、下筐体内における固定が達成され得る。有益には、成形された要素または成形された要素の組合せが、下筐体の側縁部とおおむね面一になって下筐体を完全に占有する。スーツケースの側縁部は多くの場合、補強されており、または、壁材が側縁部において反転されている。有益には、ゲームケースは側壁の補強部を含み、補強部により、成形された要素、または成形された要素の組合せが上向きの移動を防ぐように下筐体内に固定される。
【００２４】
有益な構成では、１つまたは複数の成形された要素が配線を少なくとも部分的に収容するための少なくとも１つの案内経路部を含む。このような案内経路部は、ゲームケースが閉じられるときにケース筐体により、またはゲームケースのコンポーネント間に挟み込まれないように接続ラインを保護する。有益な構成では、ゲームケースの下筐体の電気的コンポーネントの配線が、１つまたは複数の案内経路部内において完全に覆われる。
【００２５】
更に有益には、ゲームケースの上筐体または下筐体は、特にケーブル結合部といった、配電ケーブルを接続するためのプラグ接続部、特にデバイスプラグを含む。内部配線と組み合わされて、プラグ接続部は、配電ケーブルが移送のためにゲームケースから簡単に分離する状態で、すべてのコンポーネントが共通のネットワーク接続を介して給電ネットワークに接続され得るという利点を提供する。外部プラグ接続部は、更に、ゲームケースが、例えばパワーバンクを充電することができるように、閉じているときにもエネルギーを供給され得るという利点を提供する。
【００２６】
有益には、プラグ接続部は、下筐体より広い空き領域をスクリーンの後方に提供する傾向のあるゲームケースの上筐体に配置されている。更に有益には、配線は、デバイスプラグをスクリーンに接続し、および、ゲームコンソールのための既製の給電線に接続し、および任意選択的に充電ステーションに接続する。
【００２７】
ゲームケースが幾つかの成形された要素からモジュール式に構築されている場合、配線の少なくとも一部、および、少なくともゲームコンソールを収容するための成形された要素が、ゲームコンソールの接続および設計に対する適応のために交換可能であるように構成され得る。したがって、ゲームケースの成形された要素のモジュール式の設計は、ゲームケースの個々の成形された要素が別々に交換され得るという利点、および、新しいゲームコンソールを購入することが新しいゲームケースを購入することを必要としないという利点を提供する。
【００２８】
しかし、コンポーネントの高い梱包密度を可能にするために、下筐体が上述の種類の複数の窪みを含む１つの単独で占有する成形された要素のみを含むことが有益であり得る。依然として異なる製造業者および／または世代のゲームコンソールを収容することができるように、単独で占有する複数の成形された要素により下筐体が代替的に占有され得る手法により、ゲームケースが構成される。
【００２９】
更に有益には、ゲームコンソールを収容するための成形された要素は、ゲームコンソールを囲む１つまたは複数の側面に窪みまたは開口を含み、この窪みまたは開口が、冷却のために必要な空気循環を可能にするために、ゲームコンソールが挿入されたときに、供給空気を上向きに供給するための、および／または、排気を上向きに放出するための空気導管を形成する。
【００３０】
代替的に、または追加的に、ゲームコンソールを収容するための成形された要素は、ゲームコンソールを囲む１つまたは複数の側面に少なくとも１つのトンネルを含み得、このトンネルは、同じ、または近接した成形された要素の別の窪み内への、または別の窪みからの、供給空気の供給および／または排気の放出を可能にする。一方で、トンネルは、この場合、ゲームコンソールを囲む上縁部が遮られる必要がないので、トンネルがゲームコンソールと成形された要素との間のより良いかみ合いを可能にするという利点を提供する。また一方では、他の窪みが空気導管として、およびゲームコンポーネントまたはアクセサリを収容するための窪みとして２つの役割を果たすので、トンネルは、コンポーネントのより高い梱包密度が達成され得るという利点を提供する。
【００３１】
この場合において、トンネルは有益には窪み内に開いており、トンネルの形状はゲームの動作のために取り外されたゲームケースのコンポーネントを収容するように構成されている。それは、例えば、コントローラーのための窪み、または、配電ケーブルを使用しなければゲームの動作が不可能であるか、または意味をなさなくなる、その配電ケーブルのための窪みであり得る。このような構成は、空気導管が詰まる、または覆われる、および空気循環が損なわれる危険性を減らす。有益な実施形態において、ゲームケースは、導管または窪み内の気温を監視して、１つまたは複数の予め決定可能な温度より高くなった場合、警告および／または停止を始動する温度モニターを含み得る。
【００３２】
ゲームケースの有益な実施形態において、空気は、両方の換気装置の変形例の組合せを介して循環させられ、例えば、供給空気がケーブル用窪みおよびコントローラー用窪みを介して供給され得、排気が横方向空気導管を介して放出され得る。
【００３３】
更に有益には、ゲームケースは、少なくとも１つの成形された要素に対する対向要素を含み、その対向要素の底部を通してゲームコンポーネントが窪み内に上方向に固定され得、ゲームケースが閉じられている、および横になっているとき、対向要素が、縦方向の長さにわたって、および、少なくとも部分的に横方向の長さにわたってゲームコンポーネントとスクリーンとの間の空間を完全に占有する。
【００３４】
更に有益には、スクリーンは、この場合においてフラットスクリーンとして構成されており、挿入されたコンポーネントが成形された要素と上部において面一となる手法により少なくとも１つの窪みが構成されており、対向要素が平らな覆いの形態をとるように構成される。
【００３５】
好ましい実施形態において平らな覆いとして構成された発泡体プレートであるこのような対向要素は、一方では、それらの窪み内にゲームコンポーネントおよびゲームアクセサリを固定する役割、更にはゲームケースの下筐体を覆う役割、および、ゲームケースが閉じた状態において、ゲームコンソールおよびゲームコンポーネントからフラットスクリーンの表面を保護する役割を果たす。この目的のために、対向要素は、有益には弾性および／または衝撃吸収材料を備える。有益な構成では、対向要素の表面は実質的には下筐体の面積に対応し、下筐体を側縁部と面一となるように覆い得る。
【００３６】
ゲームケースの一実施形態において、ゲームケースの上筐体は、取り外し可能に構成され得る。この変形例は、上筐体が下筐体とは無関係にスクリーンとともに位置し得るという利点を提供する。有益には、上筐体は、スクリーンに給電するためのそれ自体のエネルギー貯蔵器、および、ゲームコンソールの信号を送信するための無線通信インターフェース、例えば無線ＨＤＭＩ（登録商標）を含む。一構成において、上筐体および下筐体は充電接点を含み、例えば下筐体が給電ネットワークに接続されていることを条件として、上筐体が下筐体上に位置しているとき、充電接点を介して上筐体のエネルギー貯蔵器が自動的に充電され得る。
【００３７】
更に有益には、ゲームケースは、取り外し可能な台車保持部を含む。本例において、取り外し可能な台車保持部は、取り外し可能な台車保持部がゲームの動作中に妨げとならず、また一方では、ゲームケースを移送することをより容易にするという利点をもつ。
【００３８】
ゲームケースの重量を軽くするために、本発明の有益な実施形態では、エネルギー貯蔵器が、ゲームケースの内部に位置している代わりに、更にゲームケースの外部に、例えば取り外し可能な台車保持部に配置され得る。
【００３９】
本出願は、ケース、特に上述のゲームケースにエネルギーを供給するための電気エネルギー貯蔵器を含む取り外し可能な台車保持部を更に説明している。台車保持部は、エネルギー貯蔵器を充電するための統合された充電器を含み得る。
【００４０】
更に、有益な構成では、台車保持部は、配電線電圧、特に１１０Ｖまたは２２０Ｖを提供するための電圧コンバーターを備え得る。電気デバイスに給電するために、特にゲームケース、有益には台車保持部は、電源のためのプラグ接続部、特にケーブル結合部を含む配電ケーブルを備える。有益な構成では、同じ配電ケーブルが、統合された充電器を給電ネットワークに接続するために使用され得る。
【００４１】
更なる有益な構成では、台車保持部は、交差体を使用して互いに接続された２つの硬質レールを備える伸張可能な連結部材を含み、エネルギー貯蔵器および／または電圧コンバーターは、有益には、硬質な要素にわたって広がる空間に少なくとも部分的に配置されている。
【００４２】
本発明は、更に、上筐体と下筐体とが折り畳まれ、および／または取り外され得るように互いに接続された上筐体と下筐体とを含むゲームケースまたはマルチメディアケースに関し、上筐体または下筐体は、マルチメディアデバイスからの信号またはゲームコンソールの信号を出力するためのディスプレイデバイスを含み、上筐体または下筐体は、少なくとも１つの成形された要素を備える。この場合において、成形された要素は、少なくとも１つの流体チャンバを含み、流体が充填された状態で成形された要素に挿入されたマルチメディアデバイス、または、成形された要素に挿入されたゲームコンソールの固定効果を改善するために、または達成するために、成形された要素が流体により充填され得る手法により構成されている。好ましくは、流体チャンバ内に流体を導入するために、および、流体チャンバから流体を再度除去するために、弁が提供される。流体チャンバは、流体により、特に空気により充填することが圧力を高めることに伴ってクランプ力を高めることをもたらすような手法により構成され、および、ゲームコンソールまたはマルチメディアデバイスに適応され得る。代替的に、または追加的に、流体、特に空気を流体チャンバに充填することにより、すべての側においてかみ合いによる収容を実現する構成が更に提供され得る。この目的のために、例えば、充填中に流体により充填されて、挿入されたゲームコンソールまたは挿入されたマルチメディアデバイスの脱落を防ぐかみ合いを実現する、上側においてゲームコンソールまたはマルチメディアデバイスを囲む縁部が提供され得る。結果として、ゲームコンソールまたはマルチメディアデバイスは、特に強固な手法、特に全方向において遊びの無い手法により配置され得る。別の利点は、空気または別の流体、特にガス状流体により充填された流体チャンバが有益な衝撃吸収を提供することである。この構成は、更に、本開示の任意の他の技術的特徴と組み合わされ得る。
【００４３】
本発明は、更に、互いに折り畳み可能に、および／または取り外し可能に接続された、上筐体と下筐体とを含むゲームケースまたはマルチメディアケースに関し、上筐体または下筐体が、マルチメディアデバイスの信号またはゲームコンソールの信号を出力するためのディスプレイデバイスを含み、上筐体または下筐体が、少なくとも１つの成形された要素を含み、投影器のレンズのための光出口を含む少なくとも１つの開口が形成されており、および／または、高さ調節可能な足が上筐体に、および／または下筐体に提供されている。ケースとともに移送される投影器が簡単に移送され得るだけでなく、このケースから操作され得るという利点をもつこの実施形態は、更に、本開示の任意の他の技術的特徴と組み合わされ得る。
【００４４】
最後に、更に、互いに折り畳み可能に、および／または取り外し可能に接続された上筐体と下筐体とを含むゲームケースまたはマルチメディアケースについて言及がされ、上筐体または下筐体は、マルチメディアデバイスの信号またはゲームコンソールの信号を出力するためのディスプレイデバイスを含み、少なくとも１つの側面の領域に、キーボードまたはマウスを保管するために、および操作するために、および／または、キーボードを固定するために形成された旋回可能な表面要素が提供される。更に、特に、キーボードおよび／またはマウスが簡単かつ安全に移送され得るだけでなく、ケースが広げられた直後にケースおよび広げられた表面要素と組み合わされて使用され得るという利点をもつこの実施形態は、本開示の任意の他の技術的特徴と組み合わされ得る。際立った利点は、それが、キーボードまたはマウスを置くことまたは使用することがキーボードまたはマウスを傷付けるリスクに関連しており、および／または、キーボードまたはマウスが面倒な作業を伴わずに使用されることができないような、例えば砂地の領域または岩の多い領域といった、適切な表面が存在しない場所においても使用され得ることである。
【００４５】
本発明は、好ましい実施形態を使用して添付の概略図を参照しながら以下で更に詳細に説明される。
【図面の簡単な説明】
【００４６】
【図１】斜視図により、統合可能なゲームコンソールの移送および移動作業のためのゲームケースの概観を示す図である。
【図２】斜視図により、図１によるゲームケースの内側を埋めるための成形された要素の概観を示す図である。
【図３】斜視図により、下筐体が平らな覆いを使用して閉じられている図１のゲームケースの概観を示す図である。
【図４】図２の成形された要素の縦断面を示す図である。
【図５】図２の成形された要素の平面図である。
【図６】ある角度における前からの、および上方からの斜視図により、マルチメディアケースに収容され得るマルチメディアデバイスの移送および移動作業のための折り畳まれたマルチメディアケースの一実施形態の概観を示す図である。
【図７】ある角度における後方からの、および上方からの斜視図により、折り畳まれた状態における図６のマルチメディアケースの概観を示す図である。
【図８】ある角度における前からの、および上方からの、展開状態における図６および図７のマルチメディアケースの概観を示す図である。
【図９】ある角度における後方からの、および上方からの、展開状態における図６から図８のマルチメディアケースの概観を示す図である。
【図１０】ある角度における前からの、および上方からの斜視図によりマルチメディアデバイス、特にカメラの移送および移動作業のために置かれて広げられたマルチメディアケースの更なる実施形態の概観を示す図である。
【図１１】ある角度における後方からの、および上方からの斜視図により、直立して折り畳まれた状態における図１０のマルチメディアケースの概観を示す図である。
【図１２】上の成形された要素が取り外された状態で、図１０に示されるものと同じ斜視図により、図１０および図１１のマルチメディアケースの概観を示す図である。
【図１３】ある角度における前からの、および上方からの斜視図により、マルチメディアケースに収容され得るマルチメディアデバイスの移送および移動作業のために折り畳まれたマルチメディアケースの一実施形態の概観を示す図である。
【図１４】ある角度における後方からの、および上方からの斜視図により、折り畳まれた状態における図１３のマルチメディアケースの概観を示す図である。
【図１５】ある角度において前からの、および上方からの斜視図により、展開状態における図１３および図１４のマルチメディアケースを示す図である。
【図１６】ある角度における後方からの、および上方からの斜視図により、展開状態における図１３から図１６のマルチメディアケースを示す図である。
【発明を実施するための形態】
【００４７】
図１は、統合可能なゲームコンソールの移送および移動作業のためのゲームケース１を示し、ゲームケース１は実質的に直方体の形状をもち、直方体の最大の側面がゲームケース１の上部と底部とを形成しており、ゲームケース１が上筐体２と下筐体３とを含み、上筐体２が、下筐体３に取り外し可能に、または、上筐体２が長手側面に沿って折り畳まれ得るように、および、下筐体３に対して９０度から１５０度の間の角度でロックされ得るように、接続されている。
【００４８】
上筐体２は、統合可能なゲームコンソールの信号を出力するためのスクリーン４を備え、スクリーン４は、上筐体２の表面の５０％より多くを占有する。
【００４９】
下筐体３は、ゲームコンソールのかみ合いによる収容のための窪み６と、少なくとも１つの給電線７ａまたは１つの信号線７ｂを含む既製の配線７とを含む成形された要素５を備える。
【００５０】
給電線７ａまたは信号線７ｂは、電源への接続、または信号を出力するためのスクリーン４への接続のために窪み６内に挿入されている
【００５１】
更に、成形された要素５がゲームケース１のコンポーネントを収容するための幾つかの窪みを更に含むことが図１から分かる。本例においてゲームコンソールの２つの操作ユニット、特に２つのコントローラーを収容するための２つの窪み８と、ケーブル、特に配電ケーブルを収容するための窪み９と、ＵＳＢ規格によるプラグ接点をもつボックスを収容するための窪み１０と、誘導充電器を収容するための窪み１１が存在することが確認され得る。
【００５２】
更に、ゲームケース１は、ゲームケース１の上筐体２に、特にケーブル結合部といった、配電ケーブルを接続するためのデバイスプラグの形態をとる外部プラグ接続部１２を含む。プラグ接続部１２は、ほこりおよび／または水分の進入を防ぐように覆われ得る。
【００５３】
プラグ接続部１２はスクリーン４に、および、配線７を介してゲームコンソールのための既製の給電線７ａに接続されている。
【００５４】
図２から分かるように、成形された要素５の形状は、下筐体３の内側の形状に対応している。成形された要素５は、下筐体３を完全に埋めることに適している。
【００５５】
更に、成形された要素５が配線７を少なくとも部分的に収容するための少なくとも１つの案内経路部１３を含むことが図２から分かる。この案内経路部１３、およびこの図では見ることができない他の案内経路部は、ゲームケース１の下筐体３の電気的コンポーネントの配線７が、上筐体２と下筐体３との間の配線７の部分を除いて、案内経路部１３の手法により案内経路部内において完全に覆われることを可能にする。
【００５６】
図２から分かるように、成形された要素５は、ゲームコンソールのための窪み６の１つまたは複数の側面にゲームコンソールを収容するための幾つかのトンネル１４を含み、このトンネルが、同じ成形された要素５の近接した窪み８および９内への供給空気の供給および／または排気の放出を可能にする。
【００５７】
両方のトンネル１４が窪み８、９内に開いており、トンネル１４の形状は、ゲームケース１のコンポーネントを収容するように構成されており、このコンポーネントはゲームの操作のために取り外される。図２において、これらの窪みは、コントローラーを収容するための窪み８、および、配電ケーブルを収容するための窪み９である。
【００５８】
図３から分かるように、スクリーン４は、フラットスクリーンとして構成されている。ゲームケース１が閉じているとき、スクリーン４の表面は、平らな覆いの形態をとる対向要素１５により保護される。対向要素１５の表面は下筐体３の表面に実質的に対応しており、横縁部と面一に下筐体３を覆う。
【００５９】
図４は、成形された要素５を通る断面を示しており、窪み６、８、９および、この断面において更に見ることができる窪み１０および１１が、関連する挿入されたゲームコンポーネントの上側が成形された要素５と面一となる手法により、成形された要素５内において異なる深さをもつように構成されていることがこの断面から分かる。これは、ゲームコンポーネントがそれらのそれぞれの窪み６、８、９、１０、１１内において対向要素１５の底部により上方向に固定され得るという効果、および、ゲームケース１が閉じている、および横になっているとき、対向要素１５により、縦方向の長さにわたってそれぞれのコンポーネントとスクリーン４との間の空間が完全に埋められ、横方向の長さにわたって少なくとも部分的に埋められるという効果がある。更に、通気および／または換気のための経路部１４は、図４から分かる。
【００６０】
図５は、成形された要素５の平面図を示しており、この平面図から、水平面において窪み６、８、９、１０、１１が、例えばコントローラーなどの、窪み６、８、９、１０、１１に対して提供されるそれぞれのゲームコンポーネントをかみ合うように収容するように構成されていることが分かる。
【００６１】
図６から図９、図１０から図１２、および図１５から図１８は、ゲームケース１としても構成され得るマルチメディアケース１の実施形態を示す。機能的に同一の特徴が図１から図６に示されるように明らかであることを条件として、マルチメディアケース１の構成は、構成が以下で異なる形態により説明されない限り、または、異なる構成が例示から当業者に明らかでない限り、上述の実施形態の構成に一致する。
【００６２】
図６から図９は、上部１６、底部１７、前側面１８、横側面１９、２０、および後側面２１をもつ実質的に直方体の基本形状を更に含むマルチメディアケース１の更なる実施形態を示し。この場合において、表面１７、１８、１９、２０または側面１６、１７のうちの１つの領域に、本例では前側面１８に、マルチメディアデバイスのレンズ２３のための光出口を含む開口２２が投影器２４の形態で形成されている。
【００６３】
図８および図９から分かるように、この目的において、投影器２４は、下筐体３に挿入された成形された要素５の窪み２５内に配置されている。投影器２４のためのこの窪み２５は、この構成において、投影器２４が成形された要素５の窪み２５により３つの側から、および、下筐体３の壁２６により別の側から囲まれる手法により形成されている。投影器２４を含むマルチメディアケース１が閉じた状態で動作させられる場合でも、投影器２４の十分な換気および冷却を確実なものとすることができるように、１つまたは複数の空気スロット（図示せず）が成形された要素内に位置している。
【００６４】
上筐体２に、更なる器具、特に袋（図示せず）、レーザーポインター、ペン、および他の物体のために、留め具および保管オプション３０が提供される。
【００６５】
特に投影器２４の動作中に移送ケース１を配向することができるように、底部１７の領域に、本例では各々角の領域に４つの高さ調節可能な足２７が提供されており、したがって、投影器２４により投影面に投影される画像は所望の位置および配向をとる。
【００６６】
上筐体２に、下筐体３内に配置されたラウドスピーカー２９のための音出口開口２８が提供されている。音出口開口２８は、マルチメディアケース１を防水にするために、または少なくとも水から保護されるようにするために、詳細には示されていない要素を使用して図に示される状態において閉じられているので、音出口開口２８は図９に示されていない。
【００６７】
図７において、特に少なくとも１つのＡＵＸ、ＵＳＢ、ＨＤＭＩ、ＬＡＮ、およびネットワーク接続部、ならびにメモリカード、例えば例としてＳＤカードなどを収容するためのスロット、といった複数の接続部３１が後側面の領域に配置されていることが明確に確認され得る。
【００６８】
図１０から図１２は、統合された移送システムおよび移送ローラー３２を含むマルチメディアケース１の一実施形態を示す。更に、格納された状態で図１１に示される伸張可能なハンドル３３が提供される。更に、キャリーハンドル３４が横側面１９、２０の領域に位置する。
【００６９】
下筐体３内において２つの成形された要素５ａ、５ｂが、一方が他方の上方にある状態で配置されており、したがって、２つの階層が形成される。下の成形された要素５ｂは、コンピュータユニット（図示せず）、キーボード（図示せず）、マウス（図示せず）、またはトラックパッド（図示せず）を収容するための窪み３５、３６、３７をもつ。
【００７０】
真上の成形された要素５ａも同様に、特にカメラ、レンズ、および他のアクセサリのための様々な窪み３８をもつ。
【００７１】
成形された要素５ａのインレイは、損傷を一切伴わずに、クランプ力により−または、窪み３８が切り込み（図示せず）を含んで適切に構成されている場合、更にかみ合うように−窪み３８内に挿入された機器を固定するために、弁３９を介して空気により加圧され、および充填され得る。
【００７２】
マルチメディアケース１の下筐体３の右の領域内に、様々な接続部４０、特にＵＳＢ、ＨＤＭＩ、およびＬＡＮ接続部、および／またはＳＤカードリーダーが提供される。
【００７３】
スクリーン４、特に１９インチモニターが上筐体２内に固定されており、上筐体２は、スクリーン表面から横方向において突出した側壁および上壁のおかげで周囲の反射からスクリーン表面を守る。
【００７４】
加えて、反射から更に適切にスクリーン４を守るために広げられ得る、特に布から作られた天蓋状部材（図示せず）が上筐体２内に存在する。
【００７５】
図１３から図１６は、図６から図９からのマルチメディアケースの構成に実質的に対応した別のマルチメディアケース１を示す。同一の、または少なくとも機能的に同等な要素に対して、同じ参照符号が開示内容の全体にわたって使用される。図１３〜図１６に示されるマルチメディアケース１は、例えば、独立型ハウジング（図示せず）を含むこれまでのＰＣが成形された要素５の相応に構成された窪み６内に横たわって、または立って収容され得る手法により構成され得る。この場合において、成形された要素は、特に、発泡体部分から、および／または、少なくとも１つの弁（図示せず）を介して充填され得る１つまたは複数の流体チャンバから形成され得る。後側面２１に、更に、幾つかの接続部３０、特に、少なくとも１つのＵＳＢ、ＨＤＭＩおよび／またはＬＡＮ接続部、ＳＤカードリーダー、および／または、配電線接続部が存在する。フラップの形態をとる旋回可能な表面要素４２が下筐体３の前側面１８に提供され、このフラップはキーボード（図示せず）を収容するために形成されている。表面要素４２は、特に内側に配置された閉鎖体（図示せず）により、または、幾つかの閉鎖体によりロック解除され、およびロックされ得、ロックは特に上向きに折り畳まれた状態で提供される。表面要素４２は、任意選択的に、図示されていないキーボードが表面要素４２に固定され得るように構成されている。この目的のために、対応する固定要素（図示せず）が表面要素４２に形成され、または配置され得る。更なる窪み８、９、１０、１１が、マウス、ヘッドセット、配電ケーブル、コントローラー、または他のアクセサリの任意選択的な収容のために提供される。スクリーン（図示せず）は、好ましくは上筐体内に配置される。図１３から図１６によるマルチメディアケース１は、これまでの独立型ＰＣ、例えばノートブック型パソコン、またはラップトップを移送すること、および、上筐体２および表面要素４２を開いた直後に使用することを可能にする。任意選択的に、マウスを固定するために、および／または、展開状態においてマウスを使用するために構成された別の表面要素（図示せず）が提供され得る。この目的のために、下筐体３の横側面１９、２０のうちの１つを更に旋回可能に形成することが特に適切である。下筐体３の高さより幅の広いマウスのための移動領域を確保するために、マウスのための表面要素（図示せず）は、広い領域を形成するために２つ以上の表面要素を拡張することができるように、および、その２つ以上の表面要素を再度格納することができるように、ある広がりをもち得る。代替的に、更に、２つ以上の表面が互いに対して折り畳まれ得るように、その２つ以上の表面が互いに固定され得る。
【符号の説明】
【００７６】
１  ゲームケースまたはマルチメディアケース
２  上筐体
３  下筐体
４  スクリーン
５、５ａ、５ｂ  成形された要素
６  窪み
７  配線
８  窪み
９  窪み
１０  窪み
１１  窪み
１２  プラグ接続部
１３  案内経路部
１４  トンネル
１５  対向要素
１６  上部
１７  底部
１８  前側面
１９  横側面
２０  横側面
２１  後側面
２２  開口
２３  レンズ
２４  投影器
２５  窪み
２６  壁
２７  足
２８  音出口開口
２９  スピーカー
３０  接続部
３１  保管オプション
３２  移送ローラー
３３  ハンドル
３４  キャリーハンドル
３５  窪み
３６  窪み
３７  窪み
３８  窪み
３９  弁
４０  接続部
４１  ディスプレイデバイス
４２  表面要素
【図１】
2021527284.tif 000003
【図２】
2021527284.tif 000004
【図３】
2021527284.tif 000005
【図４】
2021527284.tif 000006
【図５】
2021527284.tif 000007
【図６】
2021527284.tif 000008
【図７】
2021527284.tif 000009
【図８】
2021527284.tif 000010
【図９】
2021527284.tif 000011
【図１０】
2021527284.tif 000012
【図１１】
2021527284.tif 000013
【図１２】
2021527284.tif 000014
【図１３】
2021527284.tif 000015
【図１４】
2021527284.tif 000016
【図１５】
2021527284.tif 000017
【図１６】
2021527284.tif 000018
【国際調査報告】
2021527284.tif 000019
2021527284.tif 000020
2021527284.tif 000021
2021527284.tif 000022
2021527284.tif 000023
2021527284.tif 000024
2021527284.tif 000025
2021527284.tif 000026